(57)【要約】  【課題】電圧検知回路はインバータの小型化を行うときに大きな支障となり、損失も大きいため、入力が増加するという課題を有していた。本発明は、この電圧検知回路を省略でき、回路を大幅に小型化できると共に、無駄な損失も減らすことができ、さらなる省エネルギーが実現できるインバータ保護装置を具備した冷蔵庫を提供する。  【解決手段】庫内温度検出回路１４と外気温度検出回路１２のいずれかの検出回路において任意に設定した基準温度と現在の温度とを比較し、現在の温度が基準温度以下であり、さらに任意に設定した基準のデューティと現在のデューティとを比較し、現在のデューティが基準のデューティ以上であれば交流電源１が不足電圧であることを判定する不足電圧判定回路２７とを備え、不足電圧判定回路２７が不足電圧であると判定した場合インバータの出力を停止することを可能としたことで、電圧検知回路を省略でき無駄な損失も減らすことができる。【選択図】図１
2008304154.tif 000002
【特許請求の範囲】
【請求項１】
冷蔵庫内部に設けられた庫内温度検出回路と、前記冷蔵庫外部に設けられた外気温度検出回路と、圧縮機と、前記圧縮機の駆動用に、交流電源を整流する整流回路と、前記整流回路の出力を交流に変換するインバータと、前記インバータにより回転するブラシレスＤＣモータと、前記ブラシレスＤＣモータのロータの回転位置を検出する位置検出回路と、前記位置検出回路の信号により前記インバータの各パワー素子の動作を決定する転流回路と、前記位置検出回路の出力より回転速度を検知する速度検出回路と、前記速度検出回路からの回転速度と設定速度とが一致するようにデューティを調整するデューティ設定回路と、前記庫内温度検出回路と前記外気温度検出回路のいずれかの検出回路において任意に設定した基準温度と現在の温度とを比較し、現在の温度が基準温度以下であり、さらに任意に設定した基準のデューティと現在のデューティとを比較し、現在のデューティが基準のデューティ以上であれば前記交流電源が不足電圧であることを判定する不足電圧判定回路とを備え、前記不足電圧判定回路が不足電圧であると判定した場合インバータの出力を停止することを特徴とするモータ駆動装置を具備した冷蔵庫。
【請求項２】
冷蔵庫内部に設けられた庫内温度検出回路と、前記冷蔵庫外部に設けられた外気温度検出回路と、圧縮機と、前記圧縮機の駆動用に、交流電源を整流する整流回路と、前記整流回路の出力を交流に変換するインバータと、前記インバータにより回転するブラシレスＤＣモータと、前記ブラシレスＤＣモータのロータの回転位置を検出する位置検出回路と、前記位置検出回路の信号により前記インバータの各パワー素子の動作を決定する転流回路と、前記位置検出回路の出力より回転速度を検知する速度検出回路と、前記速度検出回路からの回転速度と設定速度とが一致するようにデューティを調整するデューティ設定回路と、前記庫内温度検出回路と前記外気温度検出回路のいずれかの検出回路において任意に設定した基準温度と現在の温度とを比較し、現在の温度が基準温度以上であり、さらに任意に設定した基準のデューティと現在のデューティとを比較し、現在のデューティが基準のデューティ以下であれば前記交流電源が過電圧であることを判定する過電圧判定回路とを備え、前記過電圧判定回路が過電圧であると判定した場合インバータの出力を停止することを特徴とするモータ駆動装置を具備した冷蔵庫。
【請求項３】
冷蔵庫内部に設けられた庫内温度検出回路と、前記冷蔵庫外部に設けられた外気温度検出回路と、圧縮機と、前記圧縮機の駆動用に、交流電源を整流する整流回路と、前記整流回路の出力を交流に変換するインバータと、前記インバータにより回転するブラシレスＤＣモータと、前記ブラシレスＤＣモータのロータの回転位置を検出する位置検出回路と、前記位置検出回路の信号により前記インバータの各パワー素子の動作を決定する転流回路と、前記位置検出回路の出力より回転速度を検知する速度検出回路と、前記庫内温度検出回路と前記外気温度検出回路のいずれかの検出回路において任意に設定した基準温度と現在の温度とを比較し、現在の温度が基準温度以下であり、さらに任意に設定した回転速度と現在の回転速度を比較し、現在の回転速度が基準の回転速度以下であれば前記交流電源が不足電圧であることを判定する不足電圧判定回路とを備え、前記不足電圧判定回路が不足電圧であると判定した場合インバータの出力を停止することを特徴とするモータ駆動装置を具備した冷蔵庫。
【請求項４】
冷蔵庫内部に設けられた庫内温度検出回路と、前記冷蔵庫外部に設けられた外気温度検出回路と、圧縮機と、前記圧縮機の駆動用に、交流電源を整流する整流回路と、前記整流回路の出力を交流に変換するインバータと、前記インバータにより回転するブラシレスＤＣモータと、前記ブラシレスＤＣモータのロータの回転位置を検出する位置検出回路と、前記位置検出回路の信号により前記インバータの各パワー素子の動作を決定する転流回路と、前記位置検出回路の出力より回転速度を検知する速度検出回路と、前記庫内温度検出回路と前記外気温度検出回路のいずれかの検出回路において任意に設定した基準温度と現在の温度とを比較し、現在の温度が基準温度以上であり、さらに任意に設定した基準の回転速度と現在の回転速度とを比較し、現在の回転速度が基準の回転速度以上であれば前記交流電源が過電圧であることを判定する過電圧判定回路とを備え、前記過電圧判定回路が過電圧であると判定した場合インバータの出力を停止することを特徴とするモータ駆動装置を具備した冷蔵庫。
【請求項５】
冷蔵庫内部に設けられた庫内温度検出回路と、前記冷蔵庫外部に設けられた外気温度検出回路と、圧縮機と、前記圧縮機の駆動用に、交流電源を整流する整流回路と、前記整流回路の出力を交流に変換するインバータと、前記インバータにより回転するブラシレスＤＣモータと、前記ブラシレスＤＣモータのロータの回転位置を検出する位置検出回路と、前記位置検出回路の信号により前記インバータの各パワー素子の動作を決定する転流回路と、前記位置検出回路の出力より回転速度を検知する速度検出回路と、前記速度検出回路からの回転速度と設定速度とが一致するようにデューティを調整するデューティ設定回路と、前記デューティ設定回路で通電率を変更しても前記速度検出回路で検出した回転速度が所定の回転速度に達しない場合にオーバーラップ角を加減算するオーバーラップ角設定回路と、前記庫内温度検出回路と前記外気温度検出回路のいずれかの検出回路において任意に設定した基準温度と現在の温度とを比較し、現在の温度が基準温度以下であり、さらに任意に設定した基準のオーバーラップ角と現在のオーバーラップ角とを比較し、現在のオーバーラップ角が基準のオーバーラップ角以上であれば前記交流電源が不足電圧であることを判定する不足電圧判定回路とを備え、前記不足電圧判定回路が不足電圧であると判定した場合インバータの出力を停止することを特徴とするモータ駆動装置を具備した冷蔵庫。
【請求項６】
冷蔵庫内部に設けられた庫内温度検出回路と、前記冷蔵庫外部に設けられた外気温度検出回路と、圧縮機と、前記圧縮機の駆動用に、交流電源を整流する整流回路と、前記整流回路の出力を交流に変換するインバータと、前記インバータにより回転するブラシレスＤＣモータと、前記ブラシレスＤＣモータのロータの回転位置を検出する位置検出回路と、前記位置検出回路の信号により前記インバータの各パワー素子の動作を決定する転流回路と、前記位置検出回路の出力より回転速度を検知する速度検出回路と、前記速度検出回路からの回転速度と設定速度とが一致するようにデューティを調整するデューティ設定回路と、前記デューティ設定回路で通電率を変更しても前記速度検出回路で検出した回転速度が所定の回転速度に達しない場合にオーバーラップ角を加減算するオーバーラップ角設定回路と、前記庫内温度検出回路と前記外気温度検出回路のいずれかの検出回路において任意に設定した基準温度と現在の温度とを比較し、現在の温度が基準温度以上であり、さらに任意に設定した基準のオーバーラップ角と現在のオーバーラップ角とを比較し、現在のオーバーラップ角が基準のオーバーラップ角以下であれば前記交流電源が過電圧であることを判定する過電圧判定回路とを備え、前記過電圧判定回路が過電圧であると判定した場合インバータの出力を停止することを特徴とするモータ駆動装置を具備した冷蔵庫。
【発明の詳細な説明】
【技術分野】
【０００１】
本発明は、ブラスレスモータをインバータにより駆動制御するモータ駆動装置を具備した冷蔵庫に関するものである。
【背景技術】
【０００２】
従来、この種の冷蔵庫用圧縮機のブラスレスモータをインバータにより駆動制御するモータ駆動装置は開示されている（例えば、特許文献１参照）。
【０００３】
その従来の技術を図面に従って説明する。図１０は従来のブラシレスＤＣモータの駆動装置のブロック図である。
【０００４】
図１０において、商用電源１０１は、日本の場合周波数５０Ｈｚまたは６０Ｈｚ、電圧１００Ｖの交流電源である。
【０００５】
整流回路１０２は商用電源１０１の交流電圧を直流電圧に変換する回路である。整流回路１０２はブリッジ接続された整流用ダイオード１０２ａ〜１０２ｄと平滑用の電解コンデンサ１０２ｅとからなり、図１０に示す回路では倍電圧整流回路となり、商用電源１０１のＡＣ１００Ｖ入力から直流電圧２８０Ｖを得ることができる。
【０００６】
インバータ回路１０３は、６個のスイッチ素子１０３ａ、１０３ｂ、１０３ｃ、１０３ｄ、１０３ｅ、１０３ｆを３相ブリッジ構成されている。また、各々のスイッチ素子には各スイッチ素子の逆方向に還流電流用のダイオードが入っているが本図では省略している。
【０００７】
ブラシレスＤＣモータ１０４は、永久磁石を有する回転子１０４ａと３相巻線を有した固定子１０４ｂとからなる。インバータ１０３により作られた３相交流電流が固定子１０４ｂの３相巻線に流れることにより、回転子１０４ａを回転させることができる。回転子１０４ａの回転運動はクランクシャフト（図示せず）により、往復運動に変更され、ピストン（図示せず）がシリンダ（図示せず）内を往復運動することにより、冷媒を圧縮する圧縮機の駆動を行う。
【０００８】
装置全体を制御するマイコン１０５は、インバータ１０３の各パワー素子の制御及び保護制御等を行っている。
【０００９】
ドライブ回路１０６は、マイコン１０５の信号によりインバータ１０３の各パワー素子のｏｎ／ｏｆｆの制御を行う。
【００１０】
電圧検知回路１０７は、整流回路１０２の出力電圧を検知し、入力である交流電源１０１の状態を検出する。この電圧検知回路では交流電源の不足電圧、過電圧、瞬断などの状態があった場合、マイコン１０５に信号を送出し、マイコン１０５ではインバータ停止等の適切な処理を行う。
【００１１】
図１１は電圧検知回路１０７の回路図である。図１１において整流回路１０２の出力電圧は抵抗器１０８と抵抗器１０９によって分圧される。この分圧電圧を比較器１１０によって基準電圧Ａ１１１と比較し、分圧電圧＜基準電圧Ａとなった時に不足電圧信号を出力し、入力電圧が低下していることを検出する。
【００１２】
また、分圧電圧を比較器１１２によって基準電圧Ｂ１１３と比較し、分圧電圧＞基準電圧Ｂとなった時に過電圧信号を出力し、入力電圧が異常上昇していることを検出する。
【００１３】
これらの信号を受けて、マイコン１０５ではインバータ停止等を含む適切な保護処理を行う。
【特許文献１】特開平１１−１０３５８５号公報
【発明の開示】
【発明が解決しようとする課題】
【００１４】
しかしながら、従来の構成では、次のような課題があった。
【００１５】
入力電圧が低下していること、および入力電圧が異常上昇していることを検出することができるが、抵抗器を用いて直流電圧を分圧しているため回路ロスが発生する。
【００１６】
例えば、交流電源１０１の電圧をＡＣ１００Ｖとすると、整流回路１０２の出力はＤＣ１４０Ｖとなる。ここで分圧用の抵抗を流れる電流を５ｍＡとして設計すると、抵抗器１０８と抵抗器１０９の直列合成抵抗値２８ｋΩとなり、抵抗器でのロス（発熱損失）は０．７Ｗとなる。
【００１７】
以上の例で考えると、抵抗器は少なくとも２Ｗ以上の抵抗器が必要であり、発熱も伴うのでインバータの小型化を行うときに大きな支障となる。また、損失も大きいため、入力が増加するという課題を有していた。
【００１８】
本発明は、この電圧検知回路を省略でき、回路を大幅に小型化できると共に、無駄な損失も減らすことができ、さらなる省エネルギーが実現できるインバータ保護装置を具備した冷蔵庫を提供することを目的とする。
【課題を解決するための手段】
【００１９】
上記従来の課題を解決するために、本発明のモータ駆動装置を具備した冷蔵庫は、庫内温度検出回路と外気温度検出回路のいずれかの検出回路において任意に設定した基準温度と現在の温度とを比較し、現在の温度が基準温度以下であり、さらに任意に設定した基準のデューティと現在のデューティとを比較し、現在のデューティが基準のデューティ以上であれば前記交流電源が不足電圧であることを判定する不足電圧判定回路とを備え、前記不足電圧判定回路が不足電圧であると判定した場合インバータの出力を停止することを可能としたものである。
【００２０】
また、本発明のモータ駆動装置を具備した冷蔵庫は、前記庫内温度検出回路と前記外気温度検出回路のいずれかの検出回路において任意に設定した基準温度と現在の温度とを比較し、現在の温度が基準温度以上であり、さらに任意に設定した基準のデューティと現在のデューティとを比較し、現在のデューティが基準のデューティ以下であれば前記交流電源が過電圧であることを判定する過電圧判定回路とを備え、前記過電圧判定回路が過電圧であると判定した場合インバータの出力を停止することを可能としたものである。
【００２１】
また、本発明のモータ駆動装置を具備した冷蔵庫は、前記庫内温度検出回路と前記外気温度検出回路のいずれかの検出回路において任意に設定した基準温度と現在の温度とを比較し、現在の温度が基準温度以下であり、さらに任意に設定した回転速度と現在の回転速度を比較し、現在の回転速度が基準の回転速度以下であれば前記交流電源が不足電圧であることを判定する不足電圧判定回路とを備え、前記不足電圧判定回路が不足電圧であると判定した場合インバータの出力を停止することを可能としたものである。
【００２２】
また、本発明のモータ駆動装置を具備した冷蔵庫は、前記庫内温度検出回路と前記外気温度検出回路のいずれかの検出回路において任意に設定した基準温度と現在の温度とを比較し、現在の温度が基準温度以上であり、さらに任意に設定した基準の回転速度と現在の回転速度とを比較し、現在の回転速度が基準の回転速度以上であれば前記交流電源が過電圧であることを判定する過電圧判定回路とを備え、前記過電圧判定回路が過電圧であると判定した場合インバータの出力を停止することを可能としたものである。
【００２３】
また、本発明のモータ駆動装置を具備した冷蔵庫は、前記庫内温度検出回路と前記外気温度検出回路のいずれかの検出回路において任意に設定した基準温度と現在の温度とを比較し、現在の温度が基準温度以下であり、さらに任意に設定した基準のオーバーラップ角と現在のオーバーラップ角とを比較し、現在のオーバーラップ角が基準のオーバーラップ角以上であれば前記交流電源が不足電圧であることを判定する不足電圧判定回路とを備え、前記不足電圧判定回路が不足電圧であると判定した場合インバータの出力を停止することを可能としたものである。
【００２４】
また、本発明のモータ駆動装置を具備した冷蔵庫は、前記庫内温度検出回路と前記外気温度検出回路のいずれかの検出回路において任意に設定した基準温度と現在の温度とを比較し、現在の温度が基準温度以上であり、さらに任意に設定した基準のオーバーラップ角と現在のオーバーラップ角とを比較し、現在のオーバーラップ角が基準のオーバーラップ角以下であれば前記交流電源が過電圧であることを判定する過電圧判定回路とを備え、前記過電圧判定回路が過電圧であると判定した場合インバータの出力を停止することを可能としたものである。
【００２５】
これによって、電圧検知回路を省略でき、回路を大幅に小型化できると共に、無駄な損失も減らすことができ、さらなる省エネルギーが実現できるインバータ保護装置を具備した冷蔵庫となる。
【発明の効果】
【００２６】
本発明のモータ駆動装置を具備した冷蔵庫は、電圧検知回路を省略でき、回路を大幅に小型化できる。その結果、安価な冷蔵庫を提供することができる。
【００２７】
また、本発明のモータ駆動装置を具備した冷蔵庫は、無駄な損失も減らすことができ、さらなる省エネルギーが実現できる。その結果、ランニングコストの安い冷蔵庫を提供することができる。
【発明を実施するための最良の形態】
【００２８】
請求項１に記載の発明は、冷蔵庫内部に設けられた庫内温度検出回路と、前記冷蔵庫外部に設けられた外気温度検出回路と、圧縮機と、前記圧縮機の駆動用に、交流電源を整流する整流回路と、前記整流回路の出力を交流に変換するインバータと、インバータにより回転するブラシレスＤＣモータと、前記ブラシレスＤＣモータのロータの回転位置を検出する位置検出回路と、前記位置検出回路の信号により前記インバータの各パワー素子の動作を決定する転流回路と、前記位置検出回路の出力より回転速度を検知する速度検出回路と、前記速度検出回路からの回転速度と設定速度とが一致するようにデューティを調整するデューティ設定回路と、前記庫内温度検出回路と前記外気温度検出回路のいずれかの検出回路において任意に設定した基準温度と現在の温度とを比較し、現在の温度が基準温度以下であり、さらに任意に設定した基準のデューティと現在のデューティとを比較し、現在のデューティが基準のデューティ以上であれば前記交流電源が不足電圧であることを判定する不足電圧判定回路とを備え、前記不足電圧判定回路が不足電圧であると判定した場合インバータの出力を停止することにより、安価で、ランニングコストの安い冷蔵庫を提供することができる。
【００２９】
請求項２に記載の発明は、冷蔵庫内部に設けられた庫内温度検出回路と、前記冷蔵庫外部に設けられた外気温度検出回路と、圧縮機と、前記圧縮機の駆動用に、交流電源を整流する整流回路と、前記整流回路の出力を交流に変換するインバータと、インバータにより回転するブラシレスＤＣモータと、前記ブラシレスＤＣモータのロータの回転位置を検出する位置検出回路と、前記位置検出回路の信号により前記インバータの各パワー素子の動作を決定する転流回路と、前記位置検出回路の出力より回転速度を検知する速度検出回路と、前記速度検出回路からの回転速度と設定速度とが一致するようにデューティを調整するデューティ設定回路と、前記庫内温度検出回路と前記外気温度検出回路のいずれかの検出回路において任意に設定した基準温度と現在の温度とを比較し、現在の温度が基準温度以上であり、さらに任意に設定した基準のデューティと現在のデューティとを比較し、現在のデューティが基準のデューティ以下であれば前記交流電源が過電圧であることを判定する過電圧判定回路とを備え、前記過電圧判定回路が過電圧であると判定した場合インバータの出力を停止することにより、安価で、ランニングコストの安い冷蔵庫を提供することができる。
【００３０】
請求項３に記載の発明は、冷蔵庫内部に設けられた庫内温度検出回路と、前記冷蔵庫外部に設けられた外気温度検出回路と、圧縮機と、前記圧縮機の駆動用に、交流電源を整流する整流回路と、前記整流回路の出力を交流に変換するインバータと、インバータにより回転するブラシレスＤＣモータと、前記ブラシレスＤＣモータのロータの回転位置を検出する位置検出回路と、前記位置検出回路の信号により前記インバータの各パワー素子の動作を決定する転流回路と、前記位置検出回路の出力より回転速度を検知する速度検出回路と、前記庫内温度検出回路と前記外気温度検出回路のいずれかの検出回路において任意に設定した基準温度と現在の温度とを比較し、現在の温度が基準温度以下であり、さらに任意に設定した回転速度と現在の回転速度を比較し、現在の回転速度が基準の回転速度以下であれば前記交流電源が不足電圧であることを判定する不足電圧判定回路とを備え、前記不足電圧判定回路が不足電圧であると判定した場合インバータの出力を停止することにより、安価で、ランニングコストの安い冷蔵庫を提供することができる。
【００３１】
請求項４に記載の発明は、冷蔵庫内部に設けられた庫内温度検出回路と、前記冷蔵庫外部に設けられた外気温度検出回路と、圧縮機と、前記圧縮機の駆動用に、交流電源を整流する整流回路と、前記整流回路の出力を交流に変換するインバータと、インバータにより回転するブラシレスＤＣモータと、前記ブラシレスＤＣモータのロータの回転位置を検出する位置検出回路と、前記位置検出回路の信号により前記インバータの各パワー素子の動作を決定する転流回路と、前記位置検出回路の出力より回転速度を検知する速度検出回路と、前記庫内温度検出回路と前記外気温度検出回路のいずれかの検出回路において任意に設定した基準温度と現在の温度とを比較し、現在の温度が基準温度以上であり、さらに任意に設定した基準の回転速度と現在の回転速度とを比較し、現在の回転速度が基準の回転速度以上であれば前記交流電源が過電圧であることを判定する過電圧判定回路とを備え、前記過電圧判定回路が過電圧であると判定した場合インバータの出力を停止することにより、安価で、ランニングコストの安い冷蔵庫を提供することができる。
【００３２】
請求項５に記載の発明は、冷蔵庫内部に設けられた庫内温度検出回路と、前記冷蔵庫外部に設けられた外気温度検出回路と、圧縮機と、前記圧縮機の駆動用に、交流電源を整流する整流回路と、前記整流回路の出力を交流に変換するインバータと、インバータにより回転するブラシレスＤＣモータと、前記ブラシレスＤＣモータのロータの回転位置を検出する位置検出回路と、前記位置検出回路の信号により前記インバータの各パワー素子の動作を決定する転流回路と、前記位置検出回路の出力より回転速度を検知する速度検出回路と、前記速度検出回路からの回転速度と設定速度とが一致するようにデューティを調整するデューティ設定回路と、前記デューティ設定回路で通電率を変更しても前記速度検出回路で検出した回転速度が所定の回転速度に達しない場合にオーバーラップ角を加減算するオーバーラップ角設定回路と、前記庫内温度検出回路と前記外気温度検出回路のいずれかの検出回路において任意に設定した基準温度と現在の温度とを比較し、現在の温度が基準温度以下であり、さらに任意に設定した基準のオーバーラップ角と現在のオーバーラップ角とを比較し、現在のオーバーラップ角が基準のオーバーラップ角以上であれば前記交流電源が不足電圧であることを判定する不足電圧判定回路とを備え、前記不足電圧判定回路が不足電圧であると判定した場合インバータの出力を停止することにより、安価で、ランニングコストの安い冷蔵庫を提供することができる。
【００３３】
請求項６に記載の発明は、冷蔵庫内部に設けられた庫内温度検出回路と、前記冷蔵庫外部に設けられた外気温度検出回路と、圧縮機と、前記圧縮機の駆動用に、交流電源を整流する整流回路と、前記整流回路の出力を交流に変換するインバータと、インバータにより回転するブラシレスＤＣモータと、前記ブラシレスＤＣモータのロータの回転位置を検出する位置検出回路と、前記位置検出回路の信号により前記インバータの各パワー素子の動作を決定する転流回路と、前記位置検出回路の出力より回転速度を検知する速度検出回路と、前記速度検出回路からの回転速度と設定速度とが一致するようにデューティを調整するデューティ設定回路と、前記デューティ設定回路で通電率を変更しても前記速度検出回路で検出した回転速度が所定の回転速度に達しない場合にオーバーラップ角を加減算するオーバーラップ角設定回路と、前記庫内温度検出回路と前記外気温度検出回路のいずれかの検出回路において任意に設定した基準温度と現在の温度とを比較し、現在の温度が基準温度以上であり、さらに任意に設定した基準のオーバーラップ角と現在のオーバーラップ角とを比較し、現在のオーバーラップ角が基準のオーバーラップ角以下であれば前記交流電源が過電圧であることを判定する過電圧判定回路とを備え、前記過電圧判定回路が過電圧であると判定した場合インバータの出力を停止するにより、安価で、ランニングコストの安い冷蔵庫を提供することができる。
【００３４】
以下、本発明による冷蔵庫の実施の形態について、図面を参照しながら説明する。なお、この実施の形態によってこの発明が限定されるものではない。
【００３５】
（実施の形態１）
図１は、本発明の実施の形態１におけるモータ駆動装置を具備した冷蔵庫のブロック図である。
【００３６】
図１において、商用電源１は、日本の場合周波数５０Ｈｚまたは６０Ｈｚ、電圧１００Ｖの交流電源である。
【００３７】
整流回路２は商用電源１の交流電圧を直流電圧に変換する。整流回路２はブリッジ接続された整流用ダイオード２ａ〜２ｄと平滑用の電解コンデンサ２ｅからなり、図１に示す回路は倍電圧整流回路の場合、商用電源１のＡＣ１００Ｖ入力から直流電圧２８０Ｖを得ることができる。
【００３８】
インバータ回路３は、６個のスイッチ素子３ａ、３ｂ、３ｃ、３ｄ、３ｅ、３ｆを３相ブリッジ構成されている。また、各々のスイッチ素子には各スイッチ素子の逆方向に還流電流用のダイオードが入っているが本図では省略している。
【００３９】
ブラシレスＤＣモータ４は、永久磁石を有する回転子４ａと３相巻線を有した固定子４ｂとからなる。インバータ３により作られた３相交流電流が固定子４ｂの３相巻線に流れることにより、回転子４ａを回転させることができる。
【００４０】
圧縮要素５は、ブラシレスＤＣモータ４の回転子４ａの軸に接続され、冷媒ガスを吸入し、圧縮して吐出する周知の構成からなるものである。このブラシレスＤＣモータ４と圧縮要素５とを同一の密閉容器に収納し、圧縮機６を構成する。
【００４１】
圧縮機６で圧縮された吐出ガスは、凝縮器７、減圧器８、蒸発器９を通って圧縮機６の吸い込みに戻るような冷凍システムを構成し、凝縮器７では放熱が行われ、蒸発器９では吸熱を行うので、冷却や加熱を行うことができる。
【００４２】
尚、必要に応じて凝縮器７や蒸発器９に送風機等を使い、熱交換をさらに促進することもある。また本実施の形態１では、冷凍システムで冷蔵庫１０とした場合で説明しており、冷蔵庫１０内の蒸発器９により冷却する構成としている。
【００４３】
外気温度センサ１１は、冷蔵庫１０の外面に設けられたサーミスタ等からなる既存の温度センサであり、外気温度検出回路１２により外気温度が検出される。
【００４４】
庫内温度センサ１３は、冷蔵庫１０内の蒸発器９により冷却された冷蔵庫内または蒸発器９付近に設けられたサーミスタ等からなる既存の温度センサであり、庫内温度検出回路１４により庫内温度が検出される。
【００４５】
負荷状態判定回路１５は、外気温度検出回路１２と庫内温度検出回路１４のいずれかまたは両方の温度から冷蔵庫１０内の蒸発器９による冷却の負荷を判定する。本実施の形態１では、外気温度検出回路１２が３０℃以上または庫内温度検出回路１４が３０℃以上と検出した場合の負荷量を「重」、外気温度検出回路１２が３０℃未満かつ１５℃以上、または庫内温度検出回路１４が−２０℃未満と検出した場合の負荷量を「中」、また外気温度検出回路１２が１５℃未満と検出した場合の負荷量を「軽」と負荷状態判定回路１５が判定した場合として以下説明する。一般的に、外気温度検出回路１２および庫内温度検出回路１４による温度検出、負荷状態判定回路１５による判定は冷蔵庫用制御マイコン１６により行われており、前記冷凍システムを効率よくサイクルさせる手段として既に使用されていることが一般的である。
【００４６】
位置検出回路１７は、ブラシレスＤＣモータ４の回転子４ａの回転位置を検出する回路であり、モータの逆起電圧から回転子４ａの相対位置を検出するセンサレス方式を採用している。
【００４７】
転流回路１８は位置検出回路１７からブラシレスＤＣモータ４の回転子４ａの位置信号を元にインバータ３のどのパワー素子がオンするかを決定するが、ブラシレスＤＣモータの場合は位置信号相互間のロジックによって決定するのが一般的である。
【００４８】
デューティ設定回路１９は、本インバータはＰＷＭ（パルス幅変調）方式を用いてインバータ３の出力電圧を変調する方式を採用している。ＰＷＭ方式は電圧の高／低をパルス周期中のオン幅の割合（この割合をデューティと呼ぶ）で制御するもので、デューティが小さい（最小０％）程インバータ３の出力電圧が低く、またデューティが大きい（最小１００％）程インバータ３の出力電圧が高くなる。また、パルス周期の逆数をキャリア周波数と呼び、一般的に、モータの駆動に使用されるインバータのキャリア周波数は２ｋＨｚ〜２０ｋＨｚが一般的である。
【００４９】
合成回路２０は、デューティ設定回路１９で設定されたデューティ信号と転流回路１８で決定されたパワー素子のオン状態は合成回路２０で合成され、ドライブ回路２１を用いて、インバータ３のパワー素子オン／オフ制御を行う。
【００５０】
速度検出回路２２は、位置検出回路１７の出力周期を測定し、モータの実際の回転速度を検出する。ブラシレスＤＣモータ４の回転子４ａの回転速度は、位置検出回路１７の信号と完全に一致している。
【００５１】
速度設定回路２３は、ブラシレスＤＣモータ４の回転速度をいくらにするかを設定する。一般的に、冷蔵庫用制御マイコン１６の負荷状態判定回路１５が判定した負荷状態からの指令より設定されることが一般的である。この速度設定回路２３によって設定された設定速度と、速度検出回路２２で検出された実際の回転速度とを、速度比較回路２４で比較し、その結果をデューティ設定回路１９に送出する。デューティ設定回路１９では、実際の回転速度が設定速度よりも小さいときにはデューティを上昇させ、回転速度を上昇させ、逆に実際の回転速度が設定速度より大きい時にはデューティを下降させ、回転速度を調整する。また実際の回転速度が設定速度と一致したとき、デューティを固定し、回転速度が変化しないようにする。
【００５２】
標準デューティ設定回路２５は、速度設定回路２３の設定速度と、負荷状態判定回路１５が判定した負荷状態によって、標準デューティを設定する。標準デューティとは回転速度と負荷状態から、入力電圧が不足電圧状態または過電圧状態の時、どの程度のデューティで運転するのかを示したもので、モータの設計により一般的に設定できる。
【００５３】
デューティ判定回路２６は、標準デューティ設定回路２５で示された標準デューティの所定範囲内にデューティ設定回路１９から出力される実際のデューティが入っているかどうか判定する。
【００５４】
不足電圧判定回路２７は、デューティ判定回路２６が標準デューティ設定回路２５で設定した標準デューティと比較して実際のデューティの方が大きいと判定した場合は不足電圧とし速度設定回路２３に異常信号を送出し、設定速度を０（停止）とすることにより、インバータ回路の保護を行う。
【００５５】
過電圧判定回路２８は、デューティ判定回路２６が標準デューティ設定回路２５で設定した標準デューティと比較して実際のデューティの方が小さいと判定した場合は過電圧とし速度設定回路２３に異常信号を送出し、設定速度を０（停止）とすることにより、インバータ回路の保護を行う。
【００５６】
インバータ用マイコン２９は、これらの処理を実現するための適切な処理を行う。
【００５７】
以上の構成において、図１、図２および図３を用いて、以下その動作を説明する。
【００５８】
図２は、本実施の形態１における動作を示したフローチャートである。
【００５９】
図３は、本実施の形態１における標準デューティを示した特性図である。
【００６０】
まず、ＳＴＥＰ１００では、負荷状態判定回路１５で冷蔵庫１０の負荷状態を判定し、蒸発器９の冷却増または冷却減が必要だと判定した場合にはＳＴＥＰ１０１へ進み、現状の状態でよいと判定した場合にはＳＴＥＰ１００へ戻る。
【００６１】
ＳＴＥＰ１０１では、位置検出回路１７、転流回路１８、デューティ設定回路１９、合成回路２０、ドライブ回路２１、速度検出回路２２、速度比較回路２４からブラシレスＤＣモータ４の回転数を制御しＳＴＥＰ１０２へ進む。
【００６２】
ＳＴＥＰ１０２では、負荷状態判定回路１５で判定した冷蔵庫１０の負荷状態を元に、標準デューティ設定回路２５により入力電圧が不足電圧状態または過電圧状態の時、どの程度のデューティで運転するのかを示しＳＴＥＰ１０３へ進む。このとき、図３の特性図において負荷状態判定回路１５で判定した冷蔵庫１０の負荷状態が「軽」であれば定格電圧状態のデューティ量はＤ１［％］、過電圧状態のデューティ量はＤ０［％］以下、不足電圧状態のデューティ量はＤ３［％］以上（Ｄ０＜Ｄ１＜Ｄ３）、また負荷状態が「中」であれば定格電圧状態のデューティ量はＤ４［％］、過電圧状態のデューティ量はＤ２［％］以下、不足電圧状態のデューティ量はＤ６［％］以上（Ｄ２＜Ｄ４＜Ｄ６）、また負荷状態が「重」であれば定格電圧状態のデューティ量はＤ７［％］、過電圧状態のデューティ量はＤ５［％］以下、不足電圧状態のデューティ量はＤ８［％］以上（Ｄ５＜Ｄ７＜Ｄ８）とおく。しかし、定格電圧状態および過電圧状態および不足電圧状態のそれぞれの傾きについてはこの限りではない。
【００６３】
ＳＴＥＰ１０３では、デューティ判定回路２６によって、デューティ設定回路１９から出力される実際のデューティが負荷状態「軽」の場合Ｄ３［％］以上であればＳＴＥＰ１０４へ進み一方Ｄ３［％］未満であればＳＴＥＰ１０５へ進み、また負荷状態「中」の場合Ｄ６［％］以上であればＳＴＥＰ１０４へ進み一方Ｄ６［％］未満であればＳＴＥＰ１０５へ進み、また負荷状態「重」の場合Ｄ８［％］以上であればＳＴＥＰ１０４へ進み一方Ｄ８［％］未満であればＳＴＥＰ１０５へ進む。
【００６４】
ＳＴＥＰ１０４では、不足電圧判定回路２７によって不足電圧とし速度設定回路２３に異常信号を送出し、設定速度を０（停止）とすることにより、インバータ回路の保護を行いＳＴＥＰ１００へ戻る。
【００６５】
ＳＴＥＰ１０５では、デューティ判定回路２６によって、デューティ設定回路１９から出力される実際のデューティが負荷状態「軽」の場合Ｄ０［％］以上であればＳＴＥＰ１００へ戻り一方Ｄ０［％］未満であればＳＴＥＰ１０６へ進み、また負荷状態「中」の場合Ｄ２［％］以上であればＳＴＥＰ１００へ戻り一方Ｄ２［％］未満であればＳＴＥＰ１０６へ進み、また負荷状態「重」の場合Ｄ５［％］以上であればＳＴＥＰ１００へ戻り一方Ｄ５［％］未満であればＳＴＥＰ１０６へ進む。
【００６６】
ＳＴＥＰ１０６では、過電圧判定回路２８によって過電圧とし速度設定回路２３に異常信号を送出し、設定速度を０（停止）とすることにより、インバータ回路の保護を行いＳＴＥＰ１００へ戻る。
【００６７】
以上のように本実施の形態１においては、本発明の外気温度センサ１１、外気温度検出回路１２、および庫内温度センサ１３、庫内温度検出回路１４、負荷状態判定回路１５、および冷蔵庫用制御マイコン１６については既に具備されているものを使用し、また一連のインバータ動作についてはインバータ用マイコン２９のソフトにて実現可能であるので、従来の電圧検出回路が全て省略することができ、部品点数の削減によるコストの削減、無駄な損失の低減による省エネルギーに大きな効果がある。
【００６８】
したがって、安価でランニングコストの安い冷蔵庫を提供できる。
【００６９】
（実施の形態２）
図４は、本発明の実施の形態２におけるモータ駆動装置を具備した冷蔵庫のブロック図である。なお、図４中の構成部品において図１と同じものについては、既に説明しているので割愛する。
【００７０】
標準速度設定回路３０は、速度設定回路２３の設定速度と、負荷状態判定回路１５が判定した負荷状態によって、標準速度を設定する。標準速度とは回転速度と負荷状態から、高負荷状態や不足電圧状態によりデューティが上限（１００％）以上になっても回転速度が遅れてくる場合や、軽負荷状態や過電圧状態によりデューティがモータ駆動に必要な下限以下になっても回転速度が進む場合に、どの程度の速度で運転するのかを示したもので、モータの設計により一般的に設定できる。
【００７１】
速度判定回路３１は、標準速度設定回路３０で示された標準速度の所定範囲内に速度検出回路２２から出力される実際の速度が入っているかどうか判定する。
【００７２】
不足電圧判定回路３２は、速度判定回路３１が標準速度設定回路３０で設定した標準速度と比較して実際の速度の方が遅いと判定した場合は不足電圧とし速度設定回路２３に異常信号を送出し、設定速度を０（停止）とすることにより、インバータ回路の保護を行う。
【００７３】
過電圧判定回路３３は、速度判定回路３１が標準速度設定回路３０で設定した標準速度と比較して実際の速度の方が速いと判定した場合は過電圧とし速度設定回路２３に異常信号を送出し、設定速度を０（停止）とすることにより、インバータ回路の保護を行う。
【００７４】
インバータ用マイコン３４は、これらの処理を実現するための適切な処理を行う。
【００７５】
以上の構成において、図４、図５および図６を用いて、以下その動作を説明する。
【００７６】
図５は、本実施の形態２における動作を示したフローチャートである。
【００７７】
図６は、本実施の形態２における標準速度を示した特性図である。
【００７８】
まず、ＳＴＥＰ１００は、実施の形態１通りである。
【００７９】
ＳＴＥＰ１０１では、位置検出回路１７、転流回路１８、デューティ設定回路１９、合成回路２０、ドライブ回路２１、速度検出回路２２、速度比較回路２４からブラシレスＤＣモータ４の回転数を制御しＳＴＥＰ２００へ進む。
【００８０】
ＳＴＥＰ２００では、負荷状態判定回路１５で判定した冷蔵庫１０の負荷状態を元に、標準速度設定回路３０により入力電圧が不足電圧状態または過電圧状態の時、どの程度の速度で運転するのかを示しＳＴＥＰ２０１へ進む。このとき、図６の特性図において負荷状態判定回路１５で判定した冷蔵庫１０の負荷状態が「軽」であれば定格電圧状態の速度はＶ１［ｒ／ｓ］、不足電圧状態の速度はＶ０［ｒ／ｓ］以下、過電圧状態の速度はＶ３［ｒ／ｓ］以上（Ｖ０＜Ｖ１＜Ｖ３）、また負荷状態が「中」であれば定格電圧状態の速度はＶ４［ｒ／ｓ］、不足電圧状態の速度はＶ２［ｒ／ｓ］以下、過電圧状態の速度はＶ６［ｒ／ｓ］以上（Ｖ２＜Ｖ４＜Ｖ６）、また負荷状態が「重」であれば定格電圧状態の速度はＶ７［ｒ／ｓ］、不足電圧状態の速度はＶ５［ｒ／ｓ］以下、過電圧状態の速度はＶ８［ｒ／ｓ］以上（Ｖ５＜Ｖ７＜Ｖ８）とおく。しかし、定格電圧状態および過電圧状態および不足電圧状態のそれぞれの傾きについてはこの限りではない。
【００８１】
ＳＴＥＰ２０１では、速度判定回路３１によって、速度検出回路２２から出力される実際の速度が負荷状態「軽」の場合Ｖ３［ｒ／ｓ］以上であればＳＴＥＰ２０２へ進み一方Ｖ３［ｒ／ｓ］未満であればＳＴＥＰ２０３へ進み、また負荷状態「中」の場合Ｖ６［ｒ／ｓ］以上であればＳＴＥＰ２０２へ進み一方Ｖ６［ｒ／ｓ］未満であればＳＴＥＰ２０３へ進み、また負荷状態「重」の場合Ｖ８［ｒ／ｓ］以上であればＳＴＥＰ２０２へ進み一方Ｖ８［ｒ／ｓ］未満であればＳＴＥＰ２０３へ進む。
【００８２】
ＳＴＥＰ２０２では、不足電圧判定回路３２によって不足電圧とし速度設定回路２３に異常信号を送出し、設定速度を０（停止）とすることにより、インバータ回路の保護を行いＳＴＥＰ１００へ戻る。
【００８３】
ＳＴＥＰ２０３では、速度判定回路３１によって、速度検出回路２２から出力される実際の速度が負荷状態「軽」の場合Ｖ０［ｒ／ｓ］以上であればＳＴＥＰ１００へ戻り一方Ｖ０［ｒ／ｓ］未満であればＳＴＥＰ２０４へ進み、また負荷状態「中」の場合Ｖ２［ｒ／ｓ］以上であればＳＴＥＰ１００へ戻り一方Ｖ２［ｒ／ｓ］未満であればＳＴＥＰ２０４へ進み、また負荷状態「重」の場合Ｖ５［ｒ／ｓ］以上であればＳＴＥＰ１００へ戻り一方Ｖ５［ｒ／ｓ］未満であればＳＴＥＰ２０４へ進む。
【００８４】
ＳＴＥＰ２０４では、過電圧判定回路３３によって過電圧とし速度設定回路２３に異常信号を送出し、設定速度を０（停止）とすることにより、インバータ回路の保護を行いＳＴＥＰ１００へ戻る。
【００８５】
以上のように本実施の形態２においては、本発明の外気温度センサ１１、外気温度検出回路１２、および庫内温度センサ１３、庫内温度検出回路１４、負荷状態判定回路１５、および冷蔵庫用制御マイコン１６については既に具備されているものを使用し、また一連のインバータ動作についてはインバータ用マイコン３４のソフトにて実現可能であるので、従来の電圧検出回路が全て省略することができ、部品点数の削減によるコストの削減、無駄な損失の低減による省エネルギーに大きな効果がある。
【００８６】
したがって、安価でランニングコストの安い冷蔵庫を提供できる。
【００８７】
（実施の形態３）
図７は、本発明の実施の形態３におけるモータ駆動装置を具備した冷蔵庫のブロック図である。なお、図７中の構成部品において図１と同じものについては、既に説明しているので割愛する。
【００８８】
オーバーラップ角設定回路３５は、デューティ１００％或いは設定された最高デューティに達した場合でもブラシレスＤＣモータ４の回転数が目標回転数に達してないときインバータ回路３の通電角を増やし、また設定された下限デューティに達した場合でもブラシレスＤＣモータ４の回転数が目標回転数を超過しているときインバータ回路３の通電角を減らすことでオーバーラップ角を設定しブラシレスＤＣモータ４の回転数を目標回転数に近づける。
【００８９】
合成回路３６は、デューティ設定回路１９で設定されたデューティ信号とオーバーラップ角設定回路３５で設定されたオーバーラップ角と転流回路１８で決定されたパワー素子のオン状態は合成回路３６で合成され、ドライブ回路２１を用いて、インバータ回路３のパワー素子オン／オフ制御を行う。
【００９０】
標準オーバーラップ角設定回路３７は、速度設定回路２３の設定速度と、負荷状態判定回路１５が判定した負荷状態によって、標準オーバーラップ角を設定する。標準オーバーラップ角とは回転速度と負荷状態から、高負荷状態や不足電圧状態によりオーバーラップ角が上限以上になっても回転速度が遅れてくる場合や、軽負荷状態や過電圧状態によりオーバーラップ角がモータ駆動に必要な下限以下になっても回転速度が進む場合に、どの程度の速度で運転するのかを示したもので、モータの設計により一般的に設定できる。
【００９１】
オーバーラップ角判定回路３８は、標準オーバーラップ角設定回路３７で示された標準オーバーラップ角の所定範囲内にオーバーラップ角設定回路３５から出力される実際のオーバーラップ角が入っているかどうか判定する。
【００９２】
不足電圧判定回路３９は、オーバーラップ角判定回路３８が標準オーバーラップ角設定回路３７で設定した標準オーバーラップ角と比較して実際のオーバーラップ角の方が大きいと判定した場合は不足電圧とし速度設定回路２３に異常信号を送出し、設定速度を０（停止）とすることにより、インバータ回路の保護を行う。
【００９３】
過電圧判定回４０は、オーバーラップ角判定回路３８が標準オーバーラップ角設定回路３７で設定した標準オーバーラップ角と比較して実際のオーバーラップ角の方が小さいと判定した場合は過電圧とし速度設定回路２３に異常信号を送出し、設定速度を０（停止）とすることにより、インバータ回路の保護を行う。
【００９４】
インバータ用マイコン４１は、これらの処理を実現するための適切な処理を行う。
【００９５】
以上の構成において、図７、図８および図９を用いて、以下その動作を説明する。
【００９６】
図８は、本実施の形態３における動作を示したフローチャートである。
【００９７】
図９は、本実施の形態３における標準オーバーラップ角を示した特性図である。
【００９８】
まず、ＳＴＥＰ１００では、負荷状態判定回路１５で冷蔵庫１０の負荷状態を判定し、蒸発器９の冷却増または冷却減が必要だと判定した場合にはＳＴＥＰ３００へ進み、現状の状態でよいと判定した場合にはＳＴＥＰ１００へ戻る。
【００９９】
ＳＴＥＰ３００では、位置検出回路１７、転流回路１８、デューティ設定回路１９、オーバーラップ角設定回路３５、合成回路３６、ドライブ回路２１、速度検出回路２２、速度比較回路２４からブラシレスＤＣモータ４の回転数を制御しＳＴＥＰ３０１へ進む。
【０１００】
ＳＴＥＰ３０１では、負荷状態判定回路１５で判定した冷蔵庫１０の負荷状態を元に、標準オーバーラップ角設定回路３７により入力電圧が不足電圧状態または過電圧状態の時、どの程度のオーバーラップ角で運転するのかを示しＳＴＥＰ３０２へ進む。このとき、図９の特性図において負荷状態判定回路１５で判定した冷蔵庫１０の負荷状態が「軽」であれば定格電圧状態のオーバーラップ角はＬ１［度］、過電圧状態のオーバーラップ角はＬ０［度］以下、不足電圧状態のオーバーラップ角はＬ３［度］以上（Ｌ０＜Ｌ１＜Ｌ３）、また負荷状態が「中」であれば定格電圧状態のオーバーラップ角はＬ４［度］、過電圧状態のオーバーラップ角はＬ２［度］以下、不足電圧状態のオーバーラップ角はＬ６［度］以上（Ｌ２＜Ｌ４＜Ｌ６）、また負荷状態が「重」であれば定格電圧状態のオーバーラップ角はＬ７［度］、過電圧状態のオーバーラップ角はＬ５［度］以下、不足電圧状態のオーバーラップ角はＬ８［度］以上（Ｌ５＜Ｌ７＜Ｌ８）とおく。しかし、定格電圧状態および過電圧状態および不足電圧状態のそれぞれの傾きについてはこの限りではない。
【０１０１】
ＳＴＥＰ３０２では、オーバーラップ角判定回路３８によって、オーバーラップ角設定回路３５から出力される実際のオーバーラップ角が負荷状態「軽」の場合Ｌ３［度］以上であればＳＴＥＰ３０３へ進み一方Ｌ３［度］未満であればＳＴＥＰ３０４へ進み、また負荷状態「中」の場合Ｌ６［度］以上であればＳＴＥＰ３０３へ進み一方Ｌ６［度］未満であればＳＴＥＰ３０４へ進み、また負荷状態「重」の場合Ｌ８［度］以上であればＳＴＥＰ３０３へ進み一方Ｌ８［度］未満であればＳＴＥＰ３０４へ進む。
【０１０２】
ＳＴＥＰ３０３では、不足電圧判定回路３９によって不足電圧とし速度設定回路２３に異常信号を送出し、設定速度を０（停止）とすることにより、インバータ回路の保護を行いＳＴＥＰ１００へ戻る。
【０１０３】
ＳＴＥＰ３０４では、オーバーラップ角判定回路３８によって、オーバーラップ角設定回路３５から出力される実際のオーバーラップ角が負荷状態「軽」の場合Ｌ０［度］以上であればＳＴＥＰ１００へ戻り一方Ｌ０［度］未満であればＳＴＥＰ３０５へ進み、また負荷状態「中」の場合Ｌ２［度］以上であればＳＴＥＰ１００へ戻り一方Ｌ２［度］未満であればＳＴＥＰ３０５へ進み、また負荷状態「重」の場合Ｌ５［度］以上であればＳＴＥＰ１００へ戻り一方Ｌ５［度］未満であればＳＴＥＰ３０５へ進む。
【０１０４】
ＳＴＥＰ３０５では、過電圧判定回路４０によって過電圧とし速度設定回路２３に異常信号を送出し、設定速度を０（停止）とすることにより、インバータ回路の保護を行いＳＴＥＰ１００へ戻る。
【０１０５】
以上のように本実施の形態３においては、本発明の外気温度センサ１１、外気温度検出回路１２、および庫内温度センサ１３、庫内温度検出回路１４、負荷状態判定回路１５、および冷蔵庫用制御マイコン１６については既に具備されているものを使用し、また一連のインバータ動作についてはインバータ用マイコン４１のソフトにて実現可能であるので、従来の電圧検出回路が全て省略することができ、部品点数の削減によるコストの削減、無駄な損失の低減による省エネルギーに大きな効果がある。したがって、安価でランニングコストの安い冷蔵庫を提供できる。
【産業上の利用可能性】
【０１０６】
以上のようにモータ駆動装置を具備した冷蔵庫は、電圧検知回路を省略でき、回路を大幅に小型化できるので安価となり、また無駄な損失も減らすことができ、さらなる省エネルギーが実現できるのでランニングコストを安く提供することができる。したがって、安価で省エネルギーに対し効果が求められる家庭用・産業用を問わずブラシレスＤＣモータを搭載したさまざまな機器の用途にも適用できる。
【図面の簡単な説明】
【０１０７】
【図１】本発明の実施の形態１におけるモータ駆動装置を具備した冷蔵庫のブロック図
【図２】本発明の実施の形態１におけるモータ駆動装置を具備した冷蔵庫の動作を示したフローチャート
【図３】本発明の実施の形態１におけるモータ駆動装置を具備した冷蔵庫の標準デューティを示した特性図
【図４】本発明の実施の形態２におけるモータ駆動装置を具備した冷蔵庫のブロック図
【図５】本発明の実施の形態２におけるモータ駆動装置を具備した冷蔵庫の動作を示したフローチャート
【図６】本発明の実施の形態２におけるモータ駆動装置を具備した冷蔵庫の標準速度を示した特性図
【図７】本発明の実施の形態３におけるモータ駆動装置を具備した冷蔵庫のブロック図
【図８】本発明の実施の形態３におけるモータ駆動装置を具備した冷蔵庫の動作を示したフローチャート
【図９】本発明の実施の形態３におけるモータ駆動装置を具備した冷蔵庫の標準オーバーラップ角を示した特性図
【図１０】従来のブラシレスＤＣモータの駆動装置のブロック図
【図１１】従来の電圧検知回路の回路図
【符号の説明】
【０１０８】
１    商用電源
２    整流回路
３    インバータ回路
４    ブラシレスＤＣモータ
６    圧縮機
１０  冷蔵庫
１２  外気温度検出回路
１４  庫内温度検出回路
１７  位置検出回路
１８  転流回路
１９  デューティ設定回路
２２  速度検出回路
２７  不足電圧判定回路
２８  過電圧判定回路
３２  不足電圧判定回路
３３  過電圧判定回路
３５  オーバーラップ角設定回路
３９  不足電圧判定回路
４０  過電圧設定回路
【図２】
2008304154.tif 000003
【図３】
2008304154.tif 000004
【図４】
2008304154.tif 000005
【図５】
2008304154.tif 000006
【図６】
2008304154.tif 000007
【図７】
2008304154.tif 000008
【図８】
2008304154.tif 000009
【図９】
2008304154.tif 000010
【図１０】
2008304154.tif 000011
【図１１】
2008304154.tif 000012
【図１】
2008304154.tif 000013